(57)【要約】【課題】ユーザーに再生中のアルバムを認識させつつ、アルバム内の再生済み楽曲数を一目で認識させることができる車載機器を提供する。【解決手段】アルバムに収められた複数の楽曲を再生する車載機器において、前記アルバムの各楽曲を再生するときに当該アルバムに対応付けられた画像を表示する表示手段を備え、前記表示手段には、前記アルバムに収められた楽曲数に応じた数の識別図形を前記画像に重ねて表示し、或いは前記画像を前記アルバムに収められた楽曲数に応じた数の区画部分に区画して表示し、前記識別図形、或いは前記区画部分のうち、再生済みの楽曲数に応じた数の前記識別図形、或いは前記区画部分を認識可能に表示する構成とした。【選択図】図３
2012153161.tif 000002
【特許請求の範囲】
【請求項１】
アルバムに収められた複数の楽曲を再生する車載機器において、
前記アルバムの各楽曲を再生するときに当該アルバムに対応付けられた画像を表示する表示手段を備え、
前記表示手段には、前記アルバムに収められた楽曲数に応じた数の識別図形を前記画像に重ねて表示し、或いは前記画像を前記アルバムに収められた楽曲数に応じた数の区画部分に区画して表示し、前記識別図形、或いは前記区画部分のうち、再生済みの楽曲数に応じた数の前記識別図形、或いは前記区画部分を認識可能に表示することを特徴とする車載機器。
【請求項２】
前記識別図形のそれぞれを、前記アルバムに対応付けられた画像の背景部分に配置したことを特徴とする請求項１に記載の車載機器。
【請求項３】
前記識別図形、或いは前記区画部分を並べて表示し、前記識別図形、或いは前記区画部分のうち、前記アルバムの収録曲順における再生済みの楽曲の順番に対応した並び番目の前記識別図形、或いは前記区画部分を認識可能に表示することを特徴とする請求項１又は２に記載の車載機器。
【発明の詳細な説明】
【技術分野】
【０００１】
本発明は、楽曲を再生可能に構成された車載機器に関する。
【背景技術】
【０００２】
従来、自動車等の車両に搭載される車載機器として、楽曲を再生可能に構成された車載機器が一般に知られている（例えば、特許文献１参照）。
この種の車載機器では、再生中のアルバムを一目で認識できるように、例えばＣＤジャケットの絵や演奏者の写真などのアルバムに対応付けられた画像を、楽曲の再生に伴って表示するものがある。
また、この種の車載機器では、再生中の楽曲および再生中のアルバムに収められた複数の楽曲の曲名や演奏時間などを認識できるように、ユーザーの操作に応じて、アルバムに収められた複数の楽曲の曲名や演奏時間などをリスト表示する楽曲リスト画面を表示し、この楽曲リスト画面において再生中の楽曲を識別可能に表示するものがある。
【先行技術文献】
【特許文献】
【０００３】
【特許文献１】特開２０１０−１２９１６２号公報
【発明の概要】
【発明が解決しようとする課題】
【０００４】
ところで、再生するアルバムを選択する際に、アルバム内の再生済み楽曲数を把握して、未だ聴いていない曲を多く含むアルバムを選択したいというニーズがある。上記従来の車載機器によれば、アルバムに収められた複数の楽曲を順番に再生しているときには、楽曲リスト画面で、再生中の楽曲のアルバムの収録曲順における順番を確認することでアルバム内の再生済み楽曲数を把握できる。
しかし、上記従来の車載機器では、アルバム内の再生済み楽曲数を把握するために、アルバムに対応付けられた画像を表示する画面から楽曲リスト画面への切り替え操作が必要であるうえ、アルバムに収められた楽曲の数が多く、楽曲リストを一画面に表示できない場合には、楽曲リスト画面の切り替え操作が必要となり、かかる操作が運転操作の妨げとなるという問題がある。
さらに、アルバム内の楽曲をランダムに再生する所謂シャッフル再生中には、楽曲リスト画面に再生中の楽曲を識別可能に表示するだけでは、アルバムの収録曲順と再生順番とが対応していないため、現在再生中の楽曲のアルバムの収録曲順における順番から再生済み楽曲数を把握することが困難であり、別途、再生済み楽曲数を確認するための操作が必要となるという問題がある。
【０００５】
本発明は、上述した事情に鑑みてなされたものであり、ユーザーに再生中のアルバムを認識させつつ、アルバム内の再生済み楽曲数を一目で認識させることができる車載機器を提供することを目的とする。
【課題を解決するための手段】
【０００６】
上記目的を達成するために、本発明は、アルバムに収められた複数の楽曲を再生する車載機器において、前記アルバムの各楽曲を再生するときに当該アルバムに対応付けられた画像を表示する表示手段を備え、前記表示手段には、前記アルバムに収められた楽曲数に応じた数の識別図形を前記画像に重ねて表示し、或いは前記画像を前記アルバムに収められた楽曲数に応じて区画して表示し、前記識別図形、或いは前記区画のうち、再生済みの楽曲数に応じた数の前記識別図形、或いは前記区画を認識可能に表示することを特徴とする。
前記車載機器において、前記識別図形のそれぞれを、前記アルバムに対応付けられた画像の背景部分に配置しても良い。
前記車載機器において、前記識別図形、或いは前記区画を並べて表示し、前記識別図形、或いは前記区画のうち、前記アルバムの収録曲順における再生済みの楽曲の順番に対応した並び番目の前記識別図形、或いは前記区画を認識可能に表示しても良い。
【発明の効果】
【０００７】
本発明によれば、アルバムに収められた楽曲数に応じた数の識別図形をアルバムに対応付けられた画像に重ねて表示し、或いはアルバムに対応付けられた画像をアルバムに収められた楽曲数に応じて区画して表示し、各識別図形、或いは各区画のうち、再生済みの楽曲数に応じた数の識別図形、或いは区画を認識可能に表示するので、一つの画面に、アルバムを認識するための情報、アルバムに収められた楽曲数の情報、及びアルバム内の再生済み楽曲数の情報を表示できる。これにより、ユーザーに再生中のアルバムを認識させつつ、アルバム内の再生済み楽曲数を一目で認識させることができる。
【図面の簡単な説明】
【０００８】
【図１】本発明の実施形態に係る車載オーディオ装置の機能ブロック図である。
【図２】第１実施形態におけるアルバム画像を模式的に示す図である。
【図３】第１実施形態におけるディスプレイ装置の表示画面を模式的に示す図である。
【図４】第１実施形態における画像情報表示処理のフローチャートである。
【図５】変形例におけるディスプレイ装置の表示画面を模式的に示す図である。
【図６】第２実施形態におけるディスプレイ装置の表示画面を模式的に示す図である。
【図７】第２実施形態における画像情報表示処理のフローチャートである。
【図８】変形例におけるディスプレイ装置の表示画面を模式的に示す図である。
【発明を実施するための形態】
【０００９】
＜第１実施形態＞
以下、図面を参照して本発明の実施形態について説明する。なお、以下の説明では、本発明に係る車載機器の一態様として、車載オーディオ装置を説明する。
車載オーディオ装置１は、例えば自動車などの車両の車室内に設けられる機器であって、ＣＤやＤＶＤ等の光学ディスクやＵＳＢメモリなどの半導体メモリといった記録媒体に記録されたアルバムに収められた複数の楽曲のデータを再生し車室内に音声出力する。
【００１０】
図１は、車載オーディオ装置１の機能的構成を示す図である。
図１に示すように、車載オーディオ装置１は、マイコン３と、光ディスク読取部５と、ＵＳＢメモリ読取部７と、オーディオＤＳＰ９と、操作部１１と、表示部１３とを備えている。マイコン３は、各部を中枢的に制御するものであり、例えばＣＰＵやＲＯＭ、ＲＡＭ等を備えて構成されている。光ディスク読取部５は、ＣＤやＤＶＤ等の光ディスク１５に記録されているアルバムのデータ中の楽曲データを読み取りマイコン３に出力する。アルバムのデータには、各楽曲の楽曲データや演奏時間データ収録曲順データや総曲数データなどが含まれている。ＵＳＢメモリ読取部７は、ＵＳＢメモリ１７に記録されているアルバムのデータ中の楽曲データを読み取りマイコン３に出力する。なお、ＵＳＢメモリ１７に代えて、携帯型音楽再生装置をＵＳＢケーブルを通じて接続し、当該携帯型音楽再生装置に記録されているアルバムのデータ中の楽曲データをＵＳＢメモリ読取部７で読み取る構成としても良いことは勿論である。
【００１１】
マイコン３は、光ディスク読取部５やＵＳＢメモリ読取部７から入力された楽曲データのデジタル音声信号をオーディオＤＳＰ９に出力する。なお、楽曲データが所定のコーデックで符号化されている場合にはデコードしてデジタル音声信号をオーディオＤＳＰ９に出力する。オーディオＤＳＰ９は、デジタル音声信号にエコライズ等の各種の音響効果を付与し車両に設けたアンプ装置１９に出力する。アンプ装置１９は、デジタル音声信号をアナログ音声信号に変換するＤ／Ａコンバータ、及びアナログ音声信号を増幅する増幅器（共に図示せず）を備え、このアナログ音声信号を車両に設けたスピーカ装置２１に出力する。
【００１２】
操作部１１は、タッチキー２３を有するタッチパネル２５と、操作ボタン２７を有するスイッチ２９と、操作検出信号を出力する検出回路（不図示）とを備え、ユーザーによる操作を検出して操作検出信号をマイコン３に出力する。
表示部１３は、例えばＬＣＤ（Liquid Crystal Display）やＥＬ（Electro Luminescent）ディスプレイ等のディスプレイ装置３１を備え、マイコン３の制御の下、各種の情報を表示する。
【００１３】
ところで、アルバムのデータには、アルバムに対応付けられた画像（以下、アルバム画像３３という）のデータが含まれている場合がある。アルバム画像３３は、例えば図２に示すような人物の写真の画像や、ＣＤジャケットの絵の画像などである。
車載オーディオ装置１は、再生中の楽曲が属するアルバムをユーザーが一目で認識できるように、アルバムのデータにアルバム画像３３のデータが含まれている場合には、当該アルバムに収められた各楽曲を再生するときに、ディスプレイ装置３１にアルバム画像３３を表示する構成となっている。
【００１４】
すなわち、マイコン３は、光ディスク読取部５またはＵＳＢメモリ読取部７を介して、光ディスク１５やＵＳＢメモリ１７などの記録媒体に記録されたアルバムのデータに、アルバム画像３３のデータが含まれているか否かを判定し、アルバム画像３３のデータが含まれていると判定した場合には、当該アルバム画像３３のデータを取得する。そして、マイコン３は、表示部１３を制御して、ディスプレイ装置３１にアルバム画像３３を表示させる。
【００１５】
また、車載オーディオ装置１は、ユーザーが、再生中の楽曲および再生中のアルバムに収められた各楽曲の曲名や演奏時間などを認識できるように、ユーザーの操作に基づいて、ディスプレイ装置３１にアルバムに収められた各楽曲の曲名や演奏時間などをリスト表示する楽曲リスト画面を表示し、さらに、この楽曲リスト画面において、現在再生中の楽曲を識別可能に表示する構成となっている。
すなわち、マイコン３は、光ディスク１５やＵＳＢメモリ１７から、アルバムに収められた各楽曲の曲名、演奏時間、収録曲順、総曲数などを取得する。マイコン３は、ユーザーの操作により、操作部１１から所定の操作検出信号が入力された場合には、表示部１３を制御して、アルバムに収められた各楽曲の曲名や演奏時間をアルバムの収録曲順通りに並べた楽曲リスト画面を表示させる。また、マイコン３は、この楽曲リスト画面において、再生中の楽曲を識別可能に、例えば表示色を変更して表示させる。
【００１６】
ところで、再生するアルバムを選択する際に、アルバム内の再生済み楽曲数を把握して、未だ聴いていない曲を多く含むアルバムを選択したいというニーズがある。
このニーズに対しては、アルバムに収められた各楽曲を順番に再生しているときには、ディスプレイ装置３１に楽曲リスト画面を表示させ、再生中の楽曲のアルバムの収録曲順における順番を確認することでアルバム内の再生済み楽曲数を把握できる。
【００１７】
しかし、この場合、アルバム内の再生済み楽曲数を把握するために、アルバム画像３３を表示する画面から楽曲リスト画面への切り替え操作が必要であるうえ、アルバムに収められた楽曲数が多く、リストを一画面に表示できない場合には、楽曲リスト画面の切り替え操作が必要となり、かかる操作が運転操作の妨げとなるという問題がある。
さらに、アルバム内の楽曲をランダムに再生する所謂シャッフル再生中には、楽曲リスト画面に再生中の楽曲を識別可能に表示するだけでは、アルバムの収録曲順と再生順番とが対応していないため、現在再生中の楽曲のアルバムの収録曲順における順番から再生済み楽曲数を把握することが困難であり、別途、再生済み楽曲を確認するための操作が必要となるという問題がある。
【００１８】
そこで、本実施形態では、アルバムの各楽曲を再生するときに、当該アルバムのデータにアルバム画像３３のデータが含まれている場合には、アルバムに収められた楽曲数に応じた数、例えばアルバムに収められた楽曲数と同数のチェックボックス３７（図３参照）をアルバム画像３３に重ねて表示し、チェックボックス３７のうち、再生済みの楽曲数に応じた数、例えば再生済みの楽曲数と同数のチェックボックス３７（図３参照）をチェックマーク有りの態様として認識可能に表示する構成としている。
【００１９】
すなわち、マイコン３は現在までの楽曲の再生履歴情報を記憶する。この再生履歴情報は、例えば過去に再生した楽曲または現在再生中の楽曲の曲名、アルバム名、および再生した順番の情報である。
また、マイコン３は、上述した再生履歴情報に基づいて、現在再生中の楽曲が属するアルバムと、直前に再生した楽曲が属するアルバムが同一であるか否か、すなわちアルバムが切り替わったか否かを判定する。
【００２０】
そして、アルバムが切り替わったと判定し、現在再生中の楽曲が属するアルバムのデータにアルバム画像３３のデータが含まれている場合には、マイコン３は、表示部１３を制御して、ディスプレイ装置３１に、図３に示すように、アルバムに収められた楽曲の数と同数のチェックボックス３７をアルバム画像３３に重ねて表示させる。このとき、マイコン３は、上述した再生履歴情報に基づいて、アルバムに収められた各楽曲が再生済みか否かを判定する。そして、この判定結果に基づいて、再生済みの楽曲数と同数のチェックボックス３７を、チェックマーク有りの態様で表示させ、未再生の楽曲と同数のチェックボックス３７を、チェックマーク無しの態様で表示させる。
これにより、一つの画面に、アルバムを認識するための情報と、アルバムに収められた楽曲数の情報と、アルバム内の再生済み楽曲数の情報とをそれぞれ認識可能に表示でき、ユーザーに再生中のアルバムを認識させつつ、アルバム内の再生済み楽曲数を一目で認識させることができる。
なお、本実施形態では、アルバムに収められた楽曲数に応じた数のチェックボックス３７をアルバム画像３３に重ねて表示し、チェックボックス３７のうち、再生済みの楽曲数に応じた数のチェックボックス３７をチェックマーク有りの態様として認識可能に表示する画面を、アルバム及び再生済み楽曲確認画面３５と称する。
【００２１】
具体的には、アルバムに収められた楽曲の総数が１０曲であり、そのうち２曲が再生済みである場合には、図３に示すように、アルバム及び再生済み楽曲確認画面３５には、アルバム画像３３に、アルバムに収められた楽曲の総数と同数すなわち１０個のチェックボックス３７が重ねて表示される。この１０個のチェックボックス３７のうち、再生済み楽曲の数と同数すなわち２個のチェックボックス３７がチェックマーク有りの態様で表示され、他の８個のチェックボックス３７がチェックマーク無しの態様で表示される。これにより、ユーザーに再生中のアルバムを認識させつつ、アルバムに収められた楽曲の総数が１０曲であり、そのうち２曲が再生済みであることを一目で認識させることができる。
なお、チェックボックス３７の総数はアルバムに収められた楽曲数に応じた数であれば良く、例えばアルバムに収められた楽曲数の２倍の数としても良い。また、すべてのチェックボックス３７のうち区別して認識可能に表示するチェックボックス３７の数は、再生済みの楽曲数に応じた数であれば良く、例えば再生済み楽曲数の２倍の数としても良い。
【００２２】
図２に示すように、アルバム画像３３は前景部分３９と背景部分４１とに大別される。
ここで、本実施形態において、前景部分３９とは、アルバム画像３３の主要題材部分を指し、背景部分とは、前景部分３９を除く残余の部分を指す。
アルバム画像３３の主要題材部分とは、アルバムをユーザーが識別するための図像である。この図像としては、ユーザーがアルバムを識別可能にするための情報を伝達できるものであれば、像、文字、図形、記号等の任意の形態を用いることができる。
例えば、像としては、アーティストの人物像などを用いることができ、文字としてはアルバム名やアーティスト名や楽曲名を示す文字を用いることができ、図形や記号としては、アーティストを示す図形や記号を用いることができる。
【００２３】
ところで、チェックボックス３７がアルバム画像３３の前景部分３９に重ねて表示された場合には、アルバムの認識が妨げられる虞がある。
そこで、本実施形態では、ユーザーがアルバムを確実に認識できるように、マイコン３は、アルバム画像３３の背景部分４１を識別する背景識別処理を行い、図３に示すように、各チェックボックス３７を、アルバム画像３３の背景部分４１に配置して表示させる。
【００２４】
また、アルバムに収められた各楽曲のうち、未再生の楽曲を選択して再生したいというニーズがある。そこで、本実施形態では、アルバムに収められた各楽曲のうち何曲目が再生済みであるか一目で認識できるように、マイコン３は、ディスプレイ装置３１に、アルバム画像３３にチェックボックス３７を重ねて表示させる際に、チェックボックス３７を並べて表示させ、チェックボックス３７のうち、アルバムの収録曲順における再生済みの楽曲の順番に対応した並び番目のチェックボックス３７を認識可能に表示させる。
【００２５】
すなわち、マイコン３は、アルバムに収められた楽曲数に応じた数のチェックボックス３７を、所定の並び順で並べて配置する。また、マイコン３は、アルバムのデータおよび再生履歴情報を参照し、アルバムの収録曲順における再生済み楽曲の順番を特定し、この再生済み楽曲の順番と同じ並び番目のチェックボックス３７をチェックマーク有りの態様で表示させる。
【００２６】
具体的には、アルバムに収められた楽曲の総数が１０曲であり、アルバムの収録曲順における３曲目および８曲目が再生済みである場合には、例えば図３に示すように、アルバム及び再生済み楽曲確認画面３５において、１０個のチェックボックス３７が、画面右部に５行２列に並べて配置される。この５行２列の並びにおいては、上から１行目の左側が１番目、上から１行目の右側が２番目、上から２行目の左側が３番目・・・上から５行目の右側が１０番目となる。
なお、以下の説明では、上から一行目のチェックボックス３７を左からチェックボックス３７Ａ、チェックボックス３７Ｂ、上から２行目のチェックボックス３７を左からチェックボックス３７Ｃ、チェックボックス３７Ｄ、・・・と称し、必要に応じて各チェックボックス３７を区別する。
【００２７】
本実施形態では、３番目のチェックボックス３７Ｃと、８番目のチェックボックス３７Ｈとが、チェックマーク有りの態様で表示される。一方、１番目のチェックボックス３７Ａ、２番目のチェックボックス３７Ｂ、４番目〜７番目のチェックボックス３７Ｄ〜チェックボックス３７Ｇ、９番目のチェックボックス３７Ｉ、および１０番目チェックボックス３７Ｊが、チェックマーク無しの態様で表示される。
これにより、アルバム及び再生済み楽曲確認画面３５に、アルバムの収録曲順における再生済みの楽曲の順番の情報を表示でき、アルバムに収められた楽曲の総数が１０曲であり、アルバムの収録曲順における３曲目および８曲目が再生済みであることをユーザーに一目で認識させることができる。
【００２８】
次いで、ディスプレイ装置３１に、アルバム及び再生済み楽曲確認画面３５を表示する際に、マイコン３が行う画像情報表示処理について説明する。
図４に示すように、楽曲の再生が開始されると（ステップＳ１）、まず、マイコン３は、アルバムが切り替わったか否かを判定する（ステップＳ２）。アルバムが切り替わったと判定した場合には（ステップＳ２：Ｙｅｓ）、再生中の楽曲が属するアルバムのデータに、アルバム画像３３のデータが含まれているか否かを判定する（ステップＳ３）。アルバム画像３３のデータが含まれていると判定した場合には、（ステップＳ３：Ｙｅｓ）、光ディスク１５やＵＳＢメモリ１７などの記録媒体からアルバム画像３３のデータを取り込み（ステップＳ４）、アルバム画像３３の背景部分４１を識別する背景識別処理を行う（ステップＳ５）。
【００２９】
次いで、マイコン３は、アルバムに収められた楽曲の総数を取得し（ステップＳ６）、アルバムに収められた楽曲数に応じた数のチェックボックス３７をアルバム画像３３に重ねた画面のデータを生成する（ステップＳ７）。このとき、各チェックボックス３７は、アルバム画像３３の背景部分４１に、所定の並び順で並べて配置される。
【００３０】
次に、マイコン３は、再生履歴情報に基づいて、アルバムに収められた各楽曲について再生済みか否かを判定する（ステップＳ８）。判定対象の楽曲が再生済みである場合には（ステップＳ７：Ｙｅｓ）、アルバムの収録曲順における当該楽曲の順番に対応した並び番目のチェックボックス３７をチェックマーク有りの態様とし（ステップＳ８）、未再生である場合には（ステップＳ７：Ｎｏ）、アルバムの収録曲順における当該楽曲の順番に対応した並び番目のチェックボックス３７をチェックマーク無しの態様とし（ステップＳ９）、アルバム及び再生済み楽曲確認画面３５のデータを生成する。
そして、マイコン３は、表示部１３を制御して、アルバム及び再生済み楽曲確認画面３５をディスプレイ装置３１に表示させ（ステップＳ１０）、処理を終了する。
なお、アルバムが切り替わっていない場合（ステップＳ２：Ｎｏ）、再生中の楽曲が属するアルバムのデータに、アルバム画像３３のデータが含まれていない場合（ステップＳ３：Ｎｏ）には、マイコン３は本処理を終了する。
【００３１】
この処理により、アルバムが切り替わったとき、現在再生中の楽曲が属するアルバムのデータにアルバム画像３３のデータが含まれている場合には、ディスプレイ装置３１に、アルバム及び再生済み楽曲確認画面３５が表示される。
このアルバム及び再生済み楽曲確認画面３５においては、アルバムを認識するための情報、アルバムに収められた楽曲数の情報、アルバム内の再生済み楽曲数の情報、及びアルバムの収録曲順における再生済みの楽曲の順番の情報が、それぞれ認識可能に同時に表示示されるので、ユーザーに再生中のアルバムを認識させつつ、アルバムに収められた各楽曲のうち、アルバムの収録曲順における何曲目が再生済みであるか、ユーザーに一目で認識させることができる。また、アルバム及び再生済み楽曲確認画面３５においては、チェックボックス３７のそれぞれが、アルバム画像３３の背景部分４１に配置されるので、チェックボックス３７がアルバムの認識を妨げることを防止して、ユーザーに再生中のアルバムを確実に認識させることができる。
【００３２】
以上説明したように、本実施形態によれば、アルバムの各楽曲を再生するときにアルバム画像３３を表示するディスプレイ装置３１を備え、ディスプレイ装置３１には、アルバムに収められた楽曲数に応じた数のチェックボックス３７をアルバム画像３３に重ねて表示し、チェックボックス３７のうち、再生済みの楽曲数に応じた数のチェックボックス３７をチェックマーク有りの態様として認識可能に表示するので、一つのアルバム及び再生済み楽曲確認画面３５に、アルバムを認識するための情報、アルバムに収められた楽曲数の情報、及びアルバム内の再生済み楽曲数の情報を表示できる。これにより、ユーザーに再生中のアルバムを認識させつつ、アルバム内の再生済み楽曲数を一目で認識させることができる。
【００３３】
また、本実施形態では、アルバム画像３３にチェックボックス３７を重ねて表示する際に、チェックボックス３７のそれぞれを、アルバム画像３３の背景部分４１に配置するので、例えばアルバム画像３３が演奏者の写真である場合に前景部分３９である演奏者にチェックボックス３７が重なることなどを防止できる。すなわちチェックボックス３７がアルバムの認識を妨げることを防止して、ユーザーに再生中のアルバムを確実に認識させることができる。
また、本実施形態では、アルバム画像３３にチェックボックス３７を重ねて表示する際に、チェックボックス３７を並べて表示し、チェックボックス３７のうち、アルバムの収録曲順における再生済みの楽曲の順番に対応した並び番目のチェックボックス３７をチェックマーク有りの態様として認識可能に表示するので、一つのアルバム及び再生済み楽曲確認画面３５に、アルバムの収録曲順における再生済みの楽曲の順番の情報を表示できる。これにより、アルバムに収められた各楽曲のうち、アルバムの収録曲順における何曲目が再生済みであるか、ユーザーに一目で認識させることができる。
【００３４】
なお、上述した実施の形態は、あくまでも本発明の一態様を示すものであり、本発明の範囲内で任意に変形が可能である。
例えば、本実施形態では、アルバム及び再生済み楽曲確認画面３５において、チェックボックス３７を、アルバム画像３３の背景部分４１のうち右側の領域に５行２列にまとめて並べた構成を例示したが、チェックボックス３７の並び方はこれに限定されず、図５に示すように背景部分４１に散乱するように並べても良い。この場合、デザイン性を向上させることができる。
【００３５】
また、本実施形態では、楽曲が再生済みであるか否かを示すために、再生済みの楽曲に対応するチェックボックス３７をチェックマーク有りの態様とし、未再生の楽曲に対応するチェックボックス３７をチェックマーク無しの態様とする構成を例示したが、楽曲が再生済みであるか否かを示す方法はこれに限定されず、例えば、再生済みの楽曲に対応する識別図形と、未再生の楽曲に対応する識別図形とを異なる形状や異なる色などで表示する構成としても良い。
【００３６】
＜第２実施形態＞
第１実施形態では、アルバム内の再生済み楽曲数を一目で把握できるように、アルバムに収められた楽曲数に応じた数のチェックボックス３７をアルバム画像３３に重ねて表示し、チェックボックス３７のうち、再生済みの楽曲数に応じた数のチェックボックス３７を認識可能に表示する構成とした。
これに対して、本実施形態では、アルバム内の再生済み楽曲数を一目で把握できるように、アルバム画像をアルバムに収められた楽曲数に応じた数の区画部分に区画して表示し、区画部分のうち、再生済みの楽曲数に応じた数の区画部分を認識可能に表示する構成としている。なお、本実施形態の車載オーディオ装置の機能的構成は、第１実施形態の構成と同様であるため、図示及び説明を省略する。
【００３７】
本実施形態では、アルバムが切り替わったと判定し、現在再生中の楽曲が属するアルバムのデータにアルバム画像１３３（図６参照）のデータが含まれている場合には、マイコン３は、アルバム画像１３３（図６参照）をアルバムに収められた楽曲数に応じた数の区画部分１４５（図６参照）に区画する画像分割処理を行う。また、マイコン３は、再生済みの楽曲数に応じた数の区画部分１４５（図６参照）を認識可能に表示するための表示効果処理を行う。なお、本実施形態では、アルバム画像１３３（図６参照）をアルバムに収められた楽曲数に応じた数の区画部分１４５（図６参照）に区画して表示し、区画部分１４５（図６参照）のうち、再生済みの楽曲数に応じた数の区画部分１４５（図６参照）を認識可能に表示する画面を、アルバム及び再生済み楽曲確認画面１３５と称する。
【００３８】
具体的には、アルバムに収められた楽曲の総数が９曲であり、アルバムの収録曲順における４曲目および８曲目が再生済みである場合には、ディスプレイ装置３１には、例えば図６Ａに示すように、アルバム及び再生済み楽曲確認画面１３５が表示される。このアルバム及び再生済み楽曲確認画面１３５においては、アルバム画像１３３が縦横の分割線１４３によりアルバムに収められた楽曲の総数と同数の９個の区画部分１４５に区画されて表示され、９個の区画部分１４５のうち、再生済み楽曲の数と同数すなわち２個の区画部分１４５が例えば半透明のマスク色が重ねられた態様で表示され、他の７個の区画部分１４５がそのままの態様で表示される。これにより、ユーザーに再生中のアルバムを認識させつつ、アルバムに収められた楽曲の総数が９曲であり、そのうち２曲が再生済みであることを一目で認識させることができる。
【００３９】
なお、区画部分１４５の総数はアルバムに収められた楽曲数に応じた数であれば良く、例えばアルバムに収められた楽曲数の２倍の数としても良い。また、認識可能に表示する区画部分１４５の数は、再生済みの楽曲数に応じた数であれば良く、例えば再生済みの楽曲数の２倍の数としても良い。また、再生済みの楽曲数に応じた数の区画部分１４５の表示態様は、他の区画部分１４５と区別して認識可能な表示態様であればよく、半透明のマスク色が重ねられた態様に限定されない。
【００４０】
また、９個の区画部分１４５は、３行３列に並んでいる。この３行３列の並びにおいては、上から１行目の左側が１番目、中央が２番目、右側が３番目、上から２行目の左側が４番目・・・となる。
以下の説明では、上から一行目の区画部分１４５を左から区画部分１４５Ａ、区画部分１４５Ｂ、区画部分１４５Ｃ、上から２行目の区画部分１４５を左から区画部分１４５Ｄ、区画部分１４５Ｅ、区画部分１４５Ｆ、・・・と称し、必要に応じて各区画部分１４５を区別する。
本実施形態では、４番目の区画部分１４５Ｄおよび８番目の区画部分１４５Ｈが、半透明のマスク色が重ねられた態様で表示され、１〜３番目の区画部分１４５Ａ〜１４５Ｃ、５〜７番目の区画部分１４５Ｅ〜Ｇ、および９番目の区画部分１４５Ｉがそのままの態様で表示される。これにより、アルバム及び再生済み楽曲確認画面１３５に、アルバムの収録曲順における再生済みの楽曲の順番の情報を表示でき、アルバムに収められた楽曲の総数が９曲であり、アルバムの収録曲順における４曲目および８曲目が再生済みであることをユーザーに一目で認識させることができる。
【００４１】
また、アルバムに収められた楽曲の総数が９曲であり、９曲全てが未再生である場合には、ディスプレイ装置３１には、図６Ｂに示すように、アルバム画像１３３が縦横の分割線１４３によりアルバムに収められた楽曲の総数と同数の９個の区画部分１４５に分割されて表示され、この９個の区画部分１４５がそのまま表示される。これにより、アルバムに含まれている楽曲の総数が９曲であり、９曲すべてが未再生であることをユーザーに一目で認識させることができる。
【００４２】
以下に、ディスプレイ装置３１に、アルバム及び再生済み楽曲確認画面１３５を表示する際に、マイコン３が行う画像情報表示処理について説明する。
図７に示すように、楽曲の再生が開始されると（ステップＳ１０１）、まず、マイコン３は、アルバムが切り替わったか否かを判定する（ステップＳ１０２）。アルバムが切り替わったと判定した場合には（ステップＳ１０２：Ｙｅｓ）、再生中の楽曲が属するアルバムのデータに、アルバム画像１３３のデータが含まれているか否かを判定する（ステップＳ１０３）。アルバム画像１３３のデータが含まれていると判定した場合には、（ステップＳ１０３：Ｙｅｓ）、光ディスク１５やＵＳＢメモリ１７などの記録媒体からアルバム画像１３３のデータを取り込む（ステップＳ１０４）。
次に、マイコン３は、アルバムに収められた楽曲の総数を取得し（ステップＳ１０５）、アルバム画像１３３を、アルバムに収められた楽曲数に応じた数の区画部分１４５（図６参照）に区画する画像分割処理を行う（ステップＳ１０６）。
【００４３】
次に、マイコン３は、再生履歴情報に基づいて、アルバムに収められた各楽曲について再生済みか否かを判定する（ステップＳ１０７）。判定対象の楽曲が再生済みである場合には（ステップＳ１０７：Ｙｅｓ）、アルバムの収録曲順における当該楽曲の順番に対応する並び番目の区画部分１４５に半透明のマスク色を重ねる表示効果処理を行い（ステップＳ１０８）、未再生である場合には（ステップＳ１０７：Ｎｏ）、アルバムの収録曲順における当該楽曲の順番に対応する並び番目の区画部分１４５をそのままの態様とする表示効果処理を行い（ステップＳ１０９）、アルバム及び再生済み楽曲確認画面１３５のデータを生成する。
そして、マイコン３は、このアルバム及び再生済み楽曲確認画面１３５を、表示部１３を制御してディスプレイ装置３１に表示させ（ステップＳ１１０）、処理を終了する。
なお、アルバムが切り替わっていない場合（ステップＳ１０２：Ｎｏ）、再生中の楽曲が属するアルバムのデータに、アルバム画像１３３のデータが含まれていない場合（ステップＳ１０３：Ｎｏ）には、マイコン３は本処理を終了する。
【００４４】
以上説明したように、本実施形態によれば、アルバムの各楽曲を再生するときにアルバム画像１３３を表示するディスプレイ装置３１を備え、ディスプレイ装置３１には、アルバム画像１３３をアルバムに収められた楽曲数に応じた数の区画部分１４５に区画して表示し、区画部分１４５のうち、再生済みの楽曲数に応じた数の区画部分１４５を半透明のマスク色を重ねた態様で認識可能に表示するので、１つのアルバム及び再生済み楽曲確認画面１３５に、アルバムを認識するための情報、アルバムに収められた楽曲数の情報、及びアルバム内の再生済み楽曲数の情報を表示できる。これにより、ユーザーに再生中のアルバムを認識させつつ、アルバム内の再生済み楽曲数を一目で認識させることができる。
また、本実施形態では、アルバム画像１３３に区画部分１４５を重ねて表示する際に、区画部分１４５を並べて表示し、区画部分１４５のうち、アルバムの収録曲順における再生済みの楽曲の順番に対応した並び番目の区画部分１４５を半透明のマスク色を重ねた態様で認識可能に表示するので、アルバム及び再生済み楽曲確認画面１３５に、アルバムの収録曲順における再生済みの楽曲の順番の情報を含めて表示できる。これにより、アルバムに収められた各楽曲のうち、アルバムの収録曲順における何曲目が再生済みであるか、ユーザーに一目で認識させることができる。
【００４５】
なお、上述した実施の形態は、あくまでも本発明の一態様を示すものであり、本発明の範囲内で任意に変形が可能である。
例えば、本実施形態では、アルバム画像１３３を縦横の分割線１４３により分割する構成を例示したが、アルバム画像１３３の分割方法はこれに限定されず、図８に示すように放射状に延びる分割線１４７により分割しても良い。これにより、デザインの自由度を向上させることができる。
また、上述した実施形態において、車載機器として車載オーディオ装置を例示したが、これに限らず、カーナビゲーション装置等の他の車載機器にも本発明を適用できる。
【符号の説明】
【００４６】
１  車載オーディオ装置（車載機器）
３１  ディスプレイ装置（表示手段）
３３、１３３  アルバム画像（アルバムに対応付けられた画像）
３５、１３５  アルバム及び再生済み楽曲確認画面
３７  チェックボックス（識別図形）
４１  背景部分
１４５  区画部分
【図１】
2012153161.tif 000003
【図２】
2012153161.tif 000004
【図３】
2012153161.tif 000005
【図４】
2012153161.tif 000006
【図５】
2012153161.tif 000007
【図６】
2012153161.tif 000008
【図７】
2012153161.tif 000009
【図８】
2012153161.tif 000010